(57)【要約】【課題】キャスティングの遠投性やコントロール性に優れ、かつ感度の良い釣り用浮きを提供すること。【解決手段】棒状のシャフトと、シャフトの中途部に設けられた浮き本体と、シャフトのシャフト下端部と浮き本体との間でシャフトに対してスライド自在に設けられるとともに、釣場の水の比重よりも大きい比重に構成された遊動錘と、を備える釣り用浮きとした。【選択図】図１
2014054206.tif 000002
【特許請求の範囲】
【請求項１】
棒状のシャフトと、
前記シャフトの中途部に設けられた浮き本体と、
前記シャフトのシャフト下端部と前記浮き本体との間で該シャフトに対してスライド自在に設けられるとともに、釣場の水の比重よりも大きい比重に構成された遊動錘と、
を備える釣り用浮き。
【請求項２】
前記遊動錘の比重は釣場の水の比重の１．０３〜１．０５倍に構成された請求項１に記載の釣り用浮き。
【請求項３】
前記遊動錘は浮上時に受ける水流に略対向する水受面を有する請求項１または２に記載の釣り用浮き。
【請求項４】
前記遊動錘は浮上時に受ける水流に対して非流線形に形成された請求項１〜３のいずれか１項に記載の釣り用浮き。
【請求項５】
前記シャフトのシャフト上端部に連設された中空管状のトップを備え、該トップはトップ下端部の周壁に穿設された孔を有する請求項１〜４のいずれか１項に記載の釣り用浮き。
【請求項６】
前記トップの上端から前記孔までの長さは前記遊動錘の可動距離以下に構成された請求項５に記載の釣り用浮き。
【請求項７】
前記遊動錘は糸錘を巻回するための比重調整部を備える請求項１〜６のいずれか１項に記載の釣り用浮き。
【発明の詳細な説明】
【技術分野】
【０００１】
本発明は、キャスティングの遠投性やコントロール性に優れ、かつ感度の良い釣り用浮きに関する。
【背景技術】
【０００２】
従来、釣り用の浮きとして、その形状の違いから長軸状の棒浮き、玉形状の玉浮き、棒浮きと玉浮きの中間的な位置付けとなる唐辛子形状の唐辛子浮き等が用いられている。中でも棒浮きは魚のアタリに対する感度が高く、視認性も良いことで知られている。
【０００３】
しかしながら棒浮きはキャスティングの際に空気抵抗を受けやすいため、遠投性およびコントロール性が悪く、所望のポイントに仕掛けを投下するのが困難であるという問題があった。
【０００４】
そこで特許文献１では、中空とした浮き本体の内部中心にガイド軸を設け、そのガイド軸の外周面に穴あき錘をスライド自在に嵌合させることにより、キャスティングの際の飛翔姿勢を安定させて飛距離を伸ばすことを可能とする釣り用浮きが提案されている。
【先行技術文献】
【特許文献】
【０００５】
【特許文献１】特開２００２−２７８８１号公報
【発明の概要】
【発明が解決しようとする課題】
【０００６】
しかしながら特許文献１に記載の釣り用浮きは、中空の浮き本体の内部中心にガイド軸を設け、更にそのガイド軸の外周面に穴あき錘をスライド自在に嵌合させた構成としているため、必然的に浮き本体の直径が大きくなるとともに、表面積の大きな浮きとなってしまう。すなわち、特許文献１に記載の釣り用浮きでは、スライド自在とした穴あき錘を収納するのに十分な広い空間を浮き本体の内部に確保する必要がある上、穴あき錘の重量増加分だけ浮き本体の浮力を大きくする必要があるため、浮き本体の外形を大きくせざるを得なくなる。
【０００７】
表面積の大きな浮きは、流体に対する粘性抵抗、すなわち空気や水に対する抵抗が大きくなるため、結果的に重量増加の割にキャスティングの遠投性やコントロール性はそれほど改善されない上、魚のアタリの感度も悪くなってしまう。
【０００８】
以上のような課題に鑑み、本発明は、キャスティングの遠投性やコントロール性に優れ、かつ感度の良い釣り用浮きを提供することを目的とする。
【課題を解決するための手段】
【０００９】
請求項１に記載の発明に係る釣り用浮きは、棒状のシャフトと、シャフトの中途部に設けられた浮き本体と、シャフトのシャフト下端部と浮き本体との間でシャフトに対してスライド自在に設けられるとともに、釣場の水の比重よりも大きい比重に構成された遊動錘と、を備える。
【００１０】
また、請求項２に記載の発明は、請求項１に記載の釣り用浮きであって、遊動錘の比重は釣場の水の比重の１．０３〜１．０５倍に構成されている。
【００１１】
また、請求項３に記載の発明は、請求項１または２に記載の釣り用浮きであって、遊動錘は浮上時に受ける水流に略対向する水受面を有する。
【００１２】
また、請求項４に記載の発明は、請求項１〜３のいずれかに記載の釣り用浮きであって、遊動錘は浮上時に受ける水流に対して非流線形に形成されている。
【００１３】
また、請求項５に記載の発明は、請求項１〜４のいずれかに記載の釣り用浮きであって、シャフトのシャフト上端部に連設された中空管状のトップを備え、トップはトップ下端部の周壁に穿設された孔を有する。
【００１４】
また、請求項６に記載の発明は、請求項５に記載の釣り用浮きであって、トップの上端から孔までの長さは遊動錘の可動距離以下に構成されている。
【００１５】
また、請求項７に記載の発明は、請求項１〜６のいずれかに記載の釣り用浮きであって、遊動錘は糸錘を巻回するための比重調整部を備える。
【発明の効果】
【００１６】
本発明によれば、キャスティングの遠投性やコントロール性に優れ、かつ感度の良い釣り用浮きとすることができる。
【図面の簡単な説明】
【００１７】
【図１】本発明に係る釣り用浮きの構成例を示した図である。
【図２】本発明に係る釣り用浮きの使用状態を示した図である。
【図３】浮き本体を示した図である。
【図４】トップの拡大断面図を示した図である。
【図５】遊動錘の一例を示した図である。
【図６】遊動錘の他の例を示した図である。
【図７】遊動錘の他の例を示した図である。
【図８】遊動錘の他の例を示した図である。
【発明を実施するための形態】
【００１８】
以下、図面を参照しながら本発明の実施形態について詳細に説明する。なお、本発明に係る釣り用浮きＡの使用場所は、海、湖沼、河川等、どのような釣場であっても良く、特に限定されない。従って、本明細書において「水」とは対象とする釣場の水のことを指し、状況に応じて「海水」、「汽水」、および「淡水」のいずれの意味も含まれる。
【００１９】
図１は、本発明に係る釣り用浮きＡの構成例を示した図である。図２は、釣り用浮きＡの使用状態を示した図である。なお、本明細書における上下方向は、図２に示すように釣り用浮きＡが水面Ｗに浮遊した状態に基づいて記載する。すなわち、本明細書における上下方向は、シャフト１０の軸方向と一致する。
【００２０】
釣り用浮きＡは、いわゆる棒浮きの構成としている。棒浮きは長軸状の形状を有しており、魚のアタリに際して水の抵抗を受けにくいため感度が良い。
【００２１】
釣り用浮きＡは、細長の棒状のシャフト１０と、シャフト１０の中途部に設けられた浮き本体２０と、シャフト下端部１０ａと浮き本体２０との間でシャフト１０に対してスライド自在に設けられた遊動錘Ｓと、シャフト上端部１０ｂに連設された中空管状の細長のトップ３０と、を備えている。波の穏やかな状況において釣り用浮きＡは、トップ３０側を上方向、シャフト下端部１０ａ側を下方向に向け、シャフト１０の軸が略鉛直方向に向いた状態で水面Ｗに浮遊する。
【００２２】
シャフト１０は、浮き本体下端部２０ａ近傍に設けられた第１のストッパー４１と、シャフト下端部１０ａに設けられた第２のストッパー４２と、を備えている。遊動錘Ｓは第１のストッパー４１と第２のストッパー４２との間をスライドする。遊動錘Ｓの可動距離ａは、第１のストッパー４１および／または第２のストッパー４２の位置を移動させることにより調整することができる。第１のストッパー４１および第２のストッパー４２の素材は特に限定されない。第１のストッパー４１および第２のストッパー４２を穴の大きさがシャフト１０の直径と略同一の環状ゴムにより形成すれば、第１のストッパー４１および第２のストッパー４２の位置調整が容易となり、遊動錘Ｓの可動距離ａを所望の大きさに調整することができる。
【００２３】
シャフト下端部１０ａの先端には、仕掛けを取り付けるためのカン５０が取り付けられる。また、第２のストッパー４２とカン５０との間には、釣り用浮きＡ全体の浮力を調整するための浮力調整部６０を設けても良い。浮力調整部６０に糸錘を巻回することにより、水中における粘性抵抗に大きな影響を与えること無く、釣り用浮きＡ全体の浮力を調整することができる。
【００２４】
カン５０にはより戻し１００が取り付けられるとともに、より戻し１００に対して糸１０１がスライド自在に取り付けられる。糸１０１には、より戻し１００に対して竿（図示せず。）側に浮き止め１０２が取り付けられるとともに、より戻し１００に対して針１０３側に所謂からまん棒と称される止め具１０４が取り付けられる。更に、糸１０１には、止め具１０４と針１０３との間の所定位置に錘１０５が取り付けられる。浮き止め１０２によってより戻し１００に対する糸１０１のスライドが規制され、えさを取り付けた針１０３の水深が決定される。また、止め具１０４から錘１０５までの糸１０１の長さを釣り用浮きＡの長さよりも長く調整しておくことにより、糸１０１と釣り用浮きＡとが絡まりにくくなる。
【００２５】
シャフト１０に用いる素材は特に限定されないが、できるだけ丈夫で軽量な素材を用いるのが良い。丈夫な素材を用いてシャフト１０の径をできるだけ細く形成すれば、シャフト１０が水中で受ける粘性抵抗がより小さくなるため、より感度の良い釣り用浮きＡとすることができる。また、軽量な素材を用いてシャフト１０を形成して釣り用浮きＡ全体の質量をできるだけ小さくすれば、浮き本体２０の大きさをより小さくすることできるため、浮き本体２０が水中で受ける粘性抵抗がより小さくなり、より感度の良い釣り用浮きＡとすることができる。そこで、素材として例えば炭素繊維を用いれば、直径を１．６〜３．０ｍｍ程度としても十分な強度を有する軽量なシャフト１０とすることができる。
【００２６】
図３は、浮き本体２０を示した図である。図３（ａ）は浮き本体２０の拡大断面図を示したものであり、図３（ｂ）は浮き本体２０の平面図を示したものであり、図３（ｃ）は浮き本体２０の底面図を示したものであり、図３（ｄ）は釣り用浮きＡが水中で沈降する際に浮き本体２０の表面に相対的に発生する上方向の水流Ｆ１の様子を示した説明図である。
【００２７】
浮き本体２０は上下に長手状の略涙滴型の形状を有しており、下方向に凸状の略半楕円体型の下側曲面部２１と、上方向にテーパー状に伸延した略円錐型の上側伸延部２２とを有している。また、下側曲面部２１と上側伸延部２２との境界部２３は滑らかに連続させた形状としており、浮き本体２０の形状は、水中で沈降する際に浮き本体２０の表面に相対的に発生する水流Ｆ１に対して流線形に形成されている。浮き本体２０には長手方向に中心部を上下に貫通するシャフト挿通孔２４が形成されている。シャフト挿通孔２４の直径はシャフト１０の直径と略同一としており、シャフト挿通孔２４にシャフト１０を挿通して接着剤等で浮き本体２０をシャフト１０に固定することができる。
【００２８】
シャフト１０に対する浮き本体２０の固定位置は、トップ３０を含む長軸状の釣り用浮きＡの略中央部とするのが良い。浮き本体２０を釣り用浮きＡの略中央部に固定することにより、波や風に対してブレの小さい安定性の高い釣り用浮きＡとすることができる。
【００２９】
浮き本体２０の下側曲面部２１は上下方向に長手状の略半楕円体型としているが、略半球型としても良い。下側曲面部２１を上下方向に長手状の略半楕円体型とした場合は浮き本体２０の上下方向への投影面積が小さくなるため、浮き本体２０と水流Ｆ１との間に発生する慣性抵抗が小さくなる。一方、下側曲面部２１を略半球型とした場合は浮き本体２０の表面積が小さくなるため、浮き本体２０と水流Ｆ１との間に発生する粘性抵抗が小さくなる。
【００３０】
浮き本体２０の上側伸延部２２は上方向にテーパー状に伸延した略円錐型の形状を有しており、上側伸延部２２側に水流Ｆ１のはく離による渦が発生しにくい形状となっている。すなわち、浮き本体２０は沈降方向に対する水の抵抗が小さい構成となっているため、浮き本体２０を備える釣り用浮きＡは魚のアタリに対する感度が良い。なお、上側伸延部２２は必ずしも直線的にテーパー状とする必要は無く、水流Ｆ１のはく離が発生しない範囲で曲面状に形成しても良い。
【００３１】
上側伸延部２２は、水流Ｆ１のはく離が発生しない条件の下、できるだけ短く形成して表面積を小さくするのが望ましい。上側伸延部２２の表面積をできるだけ小さくすることにより水流Ｆ１との間に生じる粘性抵抗がより小さくなり、より感度の高い釣り用浮きＡとすることができる。従って、境界部２３の最大直径をＸ、浮き本体２０の長手方向の長さをＹとした場合、Ｘ：Ｙ＝１：４．２〜１：４．６程度とするのが良い。
【００３２】
浮き本体２０に用いる素材は特に限定されず、水よりも比重の軽い構成であれば良い。例えば、水の比重よりも軽い木材や、中空とした樹脂等を用いて浮き本体２０を形成することができる。浮き本体２０の比重をできるだけ小さい構成とすれば、表面積が小さくなって水との間の粘性抵抗がより小さくなる。従って、浮き本体２０を木材で形成する場合は、比重の小さなバルサを用いるのが良い。バルサ等の木材を素材に用いる場合は、所望の浮き本体２０の形状に成形した後、表面を目止めした上でペンキ塗装やクリア塗装を施し、表面を滑らかに形成するのが良い。
【００３３】
図４は中空管状のトップ３０の拡大断面図を示した図である。中空管状のトップ３０のトップ上端部３０ａの先端およびトップ下端部３０ｂの先端は開口するとともに、トップ下端部３０ｂの周壁には少なくとも１つの孔３１が穿設されている。トップ３０内部の中空空間３２の断面形状はシャフト１０の断面形状と略同一としており、シャフト上端部１０ｂの先端をトップ下端部３０ｂの開口部から中空空間３２内に挿入して接着剤等で固定することにより、シャフト１０とトップ３０とを容易に連設することができる。シャフト上端部１０ｂの先端の位置は孔３１の下端縁と略一致させ、シャフト上端部１０ｂの先端と孔３１との間にはできるだけ空間が形成されないよう構成されている。
【００３４】
魚のアタリの発生時にトップ３０が水中へ引き込まれる際は孔３１より中空空間３２に水が流入する。中空空間３２への水の流入に伴って中空空間３２に存在する空気はトップ上端部３０ａの先端の開口部より外部に排出されるため、トップ３０に浮力が生じにくく、釣り用浮きＡの感度が良好となる。更に、シャフト上端部１０ｂの先端と孔３１との間に空間が形成されると孔３１から中空空間３２に水が流入し始めるまでにトップ３０に浮力が生じてしまうため、シャフト上端部１０ｂの先端の位置を孔３１の下端縁と略一致させた構成としている。
【００３５】
トップ下端部３０ｂの周壁に形成する孔３１の数や形状は限定されない。上記の通りシャフト上端部１０ｂの先端が位置する場所に少なくとも１つの孔３１を形成しておけば、シャフト上端部１０ｂの先端の位置よりも上方に別途孔３１を形成しても良い。孔３１の数が多いほど中空空間３２への水の流入はスムーズとなるが、トップ３０の強度を十分に確保する必要があるため、同じ高さの位置に形成する孔３１の数は２つまでとし、その２つの孔３１は対向させて形成するのが良い。
【００３６】
図２に示すように、釣り用浮きＡが水面Ｗに浮遊した状態において孔３１が水面Ｗよりもやや下方に位置するように、仕掛けを取り付けた釣り用浮きＡ全体の質量や浮力を調整するのが良い。このように孔３１が水面Ｗよりもやや下方に位置するよう調整することにより、魚のアタリが発生する前にトップ３０の中空空間３２に少量の水が既に流入した状態とすることができる。あらかじめ中空空間３２に水が流入した状態としておけば、魚のアタリが発生してトップ３０が水中へ引き込まれる際に中空空間３２への水の流入を妨げる水の表面張力が孔３１において発生しないため、孔３１から中空空間３２へ速やかに水を流入させることができる。
【００３７】
トップ３０の太さはできるだけ細くして外周面の表面積を小さくした方が良い。トップ３０の外周面の表面積が小さいほど、トップ３０に作用する水の粘性抵抗が小さくなって釣り用浮きＡの感度が高くなるともに、水面Ｗに浮遊した釣り用浮きＡが風の影響を受けにくくなる。その一方で、トップ３０の太さは太いほど視認性は良くなる。従って、トップ３０の直径は３．０〜４．０ｍｍ程度とするのが好ましい。
【００３８】
トップ３０の素材は特に限定されないが、加工性や光の透過性等の観点から樹脂製のものを用いるのが良い。また、トップ３０の外周面を蛍光色とすれば、釣り用浮きＡの挙動の視認性を高めることができる。
【００３９】
トップ３０の形状は中空管状のパイプ型としているが、非中空管状のソリッド型としても良い。キャスティング時の釣り用浮きＡの飛行安定性の観点からはトップ３０は中空管状のパイプ型とし、トップ３０をできるだけ軽い構成とするのが良い。すなわち、キャスティング時において、遊動錘Ｓ側を前方、トップ３０側を後方に向けて釣り用浮きＡは飛行するため、後方側のトップ３０をできるだけ軽く構成した方が飛行安定性が向上するからである。また、ソリッド型よりもパイプ型の方が光の透過性が良く、トップ３０の視認性が向上する。
【００４０】
一般的に棒浮きはキャスティングの際に空気抵抗を受けやすいため、遠投性およびコントロール性が悪く、所望のポイントに仕掛けを投下するのが困難であるという問題がある。そこで本発明による釣り用浮きＡでは、シャフト１０に遊動錘Ｓを取り付けて釣り用浮きＡ全体の質量を増加させ、遠投性およびコントロール性を高めた構成としている。通常、浮きに対して新たな構造体を付加すると水中における抵抗が増加して魚のアタリに対する感度が低下するが、本発明の釣り用浮きＡの遊動錘Ｓは魚のアタリに対する感度に影響しにくい構成としている。以下、遊動錘Ｓの構成について詳細に述べる。
【００４１】
遊動錘Ｓはシャフト１０に対してスライド自在とするとともに水の比重よりも大きな比重に構成されていれば良く、形状は特に限定されない。また、遊動錘Ｓに用いる素材は特に限定されないが、所望の比重に構成された樹脂等を用いれば良い。遊動錘Ｓの比重が軽すぎる場合は、糸錘を巻き付ける等して所望の比重に調整すれば良い。
【００４２】
図２に示すように、釣り用浮きＡが穏やかな水面Ｗに浮遊した状態において、遊動錘Ｓが可動範囲の最下端の位置、すなわち第２のストッパー４２に接触した位置を保てるように、遊動錘Ｓの比重を水の比重よりも大きく構成する。
【００４３】
このように遊動錘Ｓをシャフト１０に対してスライド自在とするとともに水の比重よりも大きな比重に構成することにより、釣り用浮きＡの感度が高くなる。すなわち、遊動錘Ｓをシャフト１０に対してスライド自在としているため、魚のアタリにより釣り用浮きＡが水中に引き込まれる際に遊動錘Ｓに生じる水の抵抗がシャフト１０に伝わらず、釣り用浮きＡの感度に影響しない。
【００４４】
トップ３０のトップ上端部３０ａの上端から孔３１までの距離ａは、遊動錘Ｓの可動距離ｂ以下とするのが良い。ａ≦ｂとするとともに、釣り用浮きＡが水面Ｗに浮遊した状態において孔３１が水面Ｗよりもやや下方に位置するように調整しておけば、釣り用浮きＡが水中に急速に引き込まれて遊動錘Ｓの水中での位置がほとんど変化しなかった場合であっても、トップ３０が全て水中へ引き込まれるまでの間に遊動錘Ｓが第１のストッパー４１に接触することが無いため、遊動錘Ｓが釣り用浮きＡの感度に影響せず、魚のアタリをトップ３０の動きで視認することが容易となる。
【００４５】
遊動錘Ｓの比重は釣場の水の比重の１．０３〜１．０５倍程度とするのが良い。遊動錘Ｓの比重を水の比重の１．０３倍よりも小さくした場合、釣り用浮きＡを水面Ｗに浮遊させた際に遊動錘Ｓが可動範囲の最下端の位置まで移動するのに時間を要するため、魚のアタリが発生して釣り用浮きＡが水中に引き込まれる際に遊動錘Ｓが第１のストッパー４１に接触する可能性が高くなり、魚のアタリを正確に認識できなくなる可能性がある。一方、遊動錘Ｓの比重を水の比重の１．０５倍よりも大きくした場合、仕掛けを取り付けた釣り用浮きＡ全体の浮力のバランスを取るために、浮き本体２０を大きくするか、仕掛けの錘１０５の質量を軽くする必要が生じる。浮き本体２０を大きくすると水中での粘性抵抗が大きくなって釣り用浮きＡの感度が低下する。錘１０５の質量を軽くするとキャスティングの際に仕掛けが飛びにくくなるため、糸１０１が絡まりやすくなる。このような理由から、遊動錘Ｓの比重を釣場の水の比重の１．０３〜１．０５倍程度とすることにより、キャスティングの遠投性やコントロール性に優れるとともに感度の良い釣り用浮きＡとすることができる。
【００４６】
平均的な海水の２５℃における比重は１．０２３ｇ／ｃｍ３程度であるため、海釣りを対象とした汎用的な遊動錘Ｓとする場合は、遊動錘Ｓの比重を１．０５４〜１．０７４ｇ／ｃｍ３程度とすれば良い。
【００４７】
遊動錘Ｓの質量は３．００〜３．７５ｇ程度とするのが良く、キャスティングの遠投性やコントロール性に優れた釣り用浮きＡとすることができる。遊動錘Ｓの質量を３．００ｇ未満とした場合は、キャスティングの際の釣り用浮きＡの遠投性やコントロール性が十分に改善されない可能性がある。一方、遊動錘Ｓの質量が３．７５ｇを超えると、キャスティングの際に竿がしなりすぎてしまう可能性がある。
【００４８】
以下、遊動錘Ｓの実施形態について例示する。
【００４９】
図５は、遊動錘Ｓの一例である遊動錘Ｓ１を示した図である。図５（ａ）は遊動錘Ｓ１の正面図であり、図５（ｂ）は遊動錘Ｓ１の平面図である。
【００５０】
遊動錘Ｓ１は上下方向に長手状の楕円体型、いわゆるナツメ型の形状を有している。遊動錘Ｓ１には上下方向に中心部を貫通するシャフト遊貫孔Ｓｈが形成されている。シャフト遊貫孔Ｓｈの直径はシャフト１０の直径よりも若干大きめに形成されているため、シャフト遊貫孔Ｓｈにシャフト１０を挿通すると、シャフト遊貫孔Ｓｈの内周面とシャフト１０の外周面との間に所定の間隙が生じ、遊動錘Ｓ１はシャフト１０に対してスライド自在となる。シャフト遊貫孔Ｓｈの内周面はできるだけ滑らかに形成し、シャフト遊貫孔Ｓｈの内周面とシャフト１０の外周面との間に生ずる摩擦をできるだけ小さくするのが好ましい。
【００５１】
遊動錘Ｓ１の外周面Ｓ１ａは上下方向に流線形の形状を有している。従って、遊動錘Ｓ１は水の比重よりも大きな比重を有するとともに沈降方向に水の抵抗を受けにくい形状を有するため、魚のアタリが発生して釣り用浮きＡが水中に引き込まれる際に第１のストッパー４１に接触する可能性が低くなる。その結果、遊動錘Ｓ１が受ける水の抵抗が釣り用浮きＡに影響しにくく、釣り用浮きＡの感度を良好に保つことができる。
【００５２】
遊動錘Ｓ１は上下に長手状の形状を有するため、シャフト遊貫孔Ｓｈの形状は直径に対する長さの比が大きく形成されている。従って、遊動錘Ｓ１のシャフト１０に対するスライドのブレは小さく、遊動錘Ｓ１はシャフト１０に対して滑らかにスライドすることができる。
【００５３】
遊動錘Ｓ１には糸錘を巻回して所望の比重に調整しても良い。その場合、遊動錘Ｓ１の表面の曲率が大きくなる略中央部に糸錘を巻回すれば、糸錘が外れにくくなる。
【００５４】
図６は、遊動錘Ｓの他の例である遊動錘Ｓ２を示した図である。図６（ａ）は遊動錘Ｓ２の正面図であり、図６（ｂ）は遊動錘Ｓ２の平面図である。図６（ｃ）は用浮きＡが水中で上昇する際に遊動錘Ｓ２の表面に相対的に発生する下方向の水流Ｆ２の様子を示した説明図である。図６（ｄ）は遊動錘Ｓ２の変形例である遊動錘Ｓ２’の正面図であり、図６（ｅ）は遊動錘Ｓ２’の平面図である。なお、遊動錘Ｓ２および遊動錘Ｓ２’において遊動錘Ｓ１の構成要素と同一のものには同一の符号を付し、適宜説明を省略する。
【００５５】
遊動錘Ｓ２は上下方向に長手状の楕円体の下端部と略同一の形状としており、下方向にテーパー状の略砲弾型の形状を有している。遊動錘Ｓ２の下面Ｓ２ａは下方向に凸曲面状に形成されるとともに、遊動錘Ｓ２の上面は略水平面状に形成された水受面Ｓ２ｂとしている。遊動錘Ｓ２には上下方向に中心部を貫通するシャフト遊貫孔Ｓｈが形成されている。
【００５６】
遊動錘Ｓ２の下面Ｓ２ａの表面形状は、下方向にテーパー状の略砲弾型の表面形状と略同一である。従って、遊動錘Ｓ２は水の比重よりも大きな比重を有するとともに沈降方向に水の抵抗を受けにくい形状を有するため、魚のアタリが発生して釣り用浮きＡが水中に引き込まれる際に第１のストッパー４１に接触する可能性が低くなる。その結果、遊動錘Ｓ２が受ける水の抵抗が釣り用浮きＡに影響しにくく、釣り用浮きＡの感度を良好に保つことができる。
【００５７】
次に、水面Ｗに浮遊した釣り用浮きＡが波によって浮上する力を受けた場合における遊動錘Ｓ２の働きについて図６（ｃ）を参照しながら説明する。
【００５８】
遊動錘Ｓ２の比重は水の比重よりも大きいため、遊動錘Ｓ２は通常はシャフト１０に設けられた第２のストッパー４２に接触しているものと考えられる。ここで水面Ｗに浮遊した釣り用浮きＡが波によって浮上する力を受けた際、遊動錘Ｓ２の表面に下方向の水流Ｆ２が相対的に発生する。遊動錘Ｓ２は略水平面状に形成された水受面Ｓ２ｂを上面に有しており、水受面Ｓ２ｂは浮上時に受ける水流Ｆ２に略対向する。従って、水受面Ｓ２ｂにより遊動錘Ｓ２は浮上する力に対抗する慣性抵抗を受け、その慣性抵抗は第２のストッパー４２を介してシャフト１０に伝わるため、釣り用浮きＡの浮上が抑制される。その結果、シャフト１０に遊動錘Ｓ２を取り付けない場合に比べ、波による釣り用浮きＡの上下動の振幅が３分の１程度に抑えられる。
【００５９】
従来の釣り用浮きは波の上下運動に従って上下に大きく振幅運動するため、釣り用浮きから水中に垂れ下がった仕掛け付きの糸にたるみが生じる頻度が高くなるものであった。釣り用浮きから水中に垂れ下がった仕掛け付きの糸にたるみが生じると魚のアタリにより発生する引きの力が釣り用浮きに即座に伝わらなくなり、感度が低下してしまう。それに対し、略水平面状に形成された水受面Ｓ２ｂを上面に有する遊動錘Ｓ２を備えた釣り用浮きＡを用いれば、波による上下の振幅運動が大きく抑制されて仕掛け付きの糸１０１にたるみが生じる頻度が低くなるため、魚のアタリを即座に認識することが容易となる。
【００６０】
また、図６（ｄ）および図６（ｅ）に示すように、遊動錘Ｓ２上面の水受面Ｓ２ｂの略中央部に上下方向に長手状の略円柱型の比重調整部Ｓ２１を立設し、比重調整部Ｓ２１と、遊動錘Ｓ２の構成に対応する錘本体部Ｓ２２とから構成される上下方向に長手状の略逆キノコ型の遊動錘Ｓ２’としても良い。なお、錘本体部Ｓ２２の構成は上記遊動錘Ｓ２の構成に対応しているため、遊動錘Ｓ２’において遊動錘Ｓ２の構成要素と同一のものには同一の符号を付し、適宜説明を省略する。比重調整部Ｓ２１の直径は錘本体部Ｓ２２の上端部に形成される最大直径よりも小さくするとともに、比重調整部Ｓ２１の直径は略一定としている。また、遊動錘Ｓ２’では、錘本体部Ｓ２２の上端部の直径と比重調整部Ｓ２１の直径との違いにより生じる段差により、錘本体部Ｓ２２の上面に水受面Ｓ２２ｂが形成されている。
【００６１】
遊動錘Ｓ２’の比重は比重調整部Ｓ２１に糸錘７０を巻回することにより容易に調整することが可能である。比重調整部Ｓ２１の直径は略一定のため、比重調整部Ｓ２１に巻回された糸錘７０は容易に外れない。
【００６２】
比重調整部Ｓ２１の上下方向の長さは錘本体部Ｓ２２の上下方向の長さの２倍程度としているが、比重調整部Ｓ２１の長さは糸錘７０を巻回するのに十分であれば良く、特に限定されない。またシャフト遊貫孔Ｓｈは、比重調整部Ｓ２１および錘本体部Ｓ２２で構成される遊動錘Ｓ２’の軸心部を貫通して形成されている。すなわち、比重調整部Ｓ２１を設けることにより、遊動錘Ｓ２’のシャフト遊貫孔Ｓｈは直径に対する長さの比が大きい形状となる。その結果、遊動錘Ｓ２’は遊動錘Ｓ２よりもシャフト１０に対するスライドのブレが小さくなり、滑らかにスライドすることができる。
【００６３】
比重調整部Ｓ２１の上端部には、直径を若干大きくした径大部Ｓ２１ａを形成しても良い。すなわち、比重調整部Ｓ２１を、直径を略一定とした基端側の巻回部Ｓ２１ｂと、巻回部Ｓ２１ｂよりも直径を若干大きくした上端側の径大部Ｓ２１ａとにより構成しても良い。径大部Ｓ２１ａにより、巻回部Ｓ２１ｂに巻回された糸錘７０が外れにくくなる。径大部Ｓ２１ａの直径は巻回部Ｓ２１ｂの直径よりもわずかに大きくしておけば十分であり、例えば径大部Ｓ２１ａの直径を巻回部Ｓ２１ｂの直径よりも０．１〜１ｍｍ程度大きくしておけば良い。なお、径大部Ｓ２１ａの直径をＳ２１ｂの直径よりも１ｍｍ以上大きくしても構わない。
【００６４】
比重調整部Ｓ２１に巻回された糸錘７０を外れにくくするための手段は比重調整部Ｓ２１の上端部に径大部Ｓ２１ａを形成することに限定されず、その他の構成によって実現しても良い。例えば、比重調整部Ｓ２１を上端に向けて次第に太く形成したり、比重調整部Ｓ２１の上端部側面の一部に突起部を設けたりしても良い。
【００６５】
図７は、遊動錘Ｓの他の例である遊動錘Ｓ３を示した図である。図７（ａ）は遊動錘Ｓ３の正面図であり、図７（ｂ）は遊動錘Ｓ３の平面図である。図７（ｃ）は遊動錘Ｓ３の変形例である遊動錘Ｓ３’の正面図である。なお、遊動錘Ｓ３および遊動錘Ｓ３’において遊動錘Ｓ１、遊動錘Ｓ２、および遊動錘Ｓ２’の構成要素と同一のものには同一の符号を付し、適宜説明を省略する。
【００６６】
遊動錘Ｓ３は上下方向に長手状の楕円体の下端部と略同一の形状としており、下方にテーパー状の略砲弾型の形状を有している。遊動錘Ｓ３の下面Ｓ３ａは凸曲面状に形成されるとともに、遊動錘Ｓ３の上面は凹曲面状に形成された水受面Ｓ３ｂとしている。遊動錘Ｓ３には上下方向に中心部を貫通するシャフト遊貫孔Ｓｈが形成されている。
【００６７】
遊動錘Ｓ３の下面Ｓ３ａの表面形状は、下方向にテーパー状の略砲弾型の表面形状と略同一である。従って、遊動錘Ｓ３は水の比重よりも大きな比重を有するとともに沈降方向に水の抵抗を受けにくい形状を有するため、魚のアタリが発生して釣り用浮きＡが水中に引き込まれる際に第１のストッパー４１に接触する可能性が低くなる。その結果、遊動錘Ｓ３が受ける水の抵抗が釣り用浮きＡに影響しにくく、釣り用浮きＡの感度を良好に保つことができる。
【００６８】
遊動錘Ｓ３の水受面Ｓ３ｂの機能は遊動錘Ｓ２の水受面Ｓ２ｂの機能と同様である。水受面Ｓ３ｂにより、波による釣り用浮きＡの上下動の振幅を小さくして仕掛け付きの糸１０１のたるみの発生を抑えることができる。
【００６９】
また、図７（ｃ）に示すように、遊動錘Ｓ３上面の水受面Ｓ３ｂの略中央部に上下方向に長手状の略円柱型の比重調整部Ｓ３１を立設し、比重調整部Ｓ３１と、遊動錘Ｓ３の構成に対応する錘本体部Ｓ３２とから構成される略逆キノコ型の遊動錘Ｓ３’としても良い。比重調整部Ｓ３１の直径は錘本体部Ｓ３２の上端部に形成される最大直径よりも小さくするとともに、比重調整部Ｓ３１の直径は略一定としている。また、遊動錘Ｓ３’では、錘本体部Ｓ３２の上端部の直径と比重調整部Ｓ３１の直径との違いにより生じる段差により、錘本体部Ｓ３２の上面に水受面Ｓ３２ｂが形成されている。遊動錘Ｓ３’の水受面Ｓ３２ｂは遊動錘Ｓ３の水受面Ｓ３ｂと同様の機能を果たす。また、比重調整部Ｓ３１の上端部には、直径を若干大きくした径大部Ｓ３１ａを形成しても良い。なお、遊動錘Ｓ３’の比重調整部Ｓ３１の構成や作用効果は遊動錘Ｓ２’の比重調整部Ｓ２１の場合と同様のため、その詳しい説明は省略する。
【００７０】
図８は、遊動錘Ｓの他の例である遊動錘Ｓ４を示した図である。図８（ａ）は遊動錘Ｓ４の正面図であり、図８（ｂ）は遊動錘Ｓ４の変形例である遊動錘Ｓ４’の平面図である。なお、遊動錘Ｓ４および遊動錘Ｓ４’において遊動錘Ｓ１，Ｓ２，Ｓ２’，Ｓ３，Ｓ３’の構成要素と同一のものには同一の符号を付し、適宜説明を省略する。
【００７１】
上記の通り、遊動錘Ｓ２，Ｓ２’，Ｓ３，Ｓ３’では浮上時に相対的に発生する下方向の水流Ｆ２に略対抗する水受面Ｓ２ｂ，Ｓ２２ｂ，Ｓ３ｂ，Ｓ３２ｂにより釣り用浮きＡの上下の振幅運動を抑えて魚のアタリに対する感度を改善しているが、遊動錘Ｓの形状を水流Ｆ２に対して非流線形とすることによっても同様の効果を得ることができる。遊動錘Ｓ４はそのような非流線形形状の遊動錘Ｓの一例を示したものである。
【００７２】
遊動錘Ｓ４は略球状の形状を有しており、水流Ｆ２に対して非流線形の形状となっている。従って、浮上時においては遊動錘Ｓ４の下半球の下面Ｓ４ａ側に水流Ｆ２のはく離による渦が生成して大きな抵抗が生じるため、釣り用浮きＡの上下の振幅運動を抑えることができる。また、遊動錘Ｓ４の上半球の上面は水受面Ｓ４ｂとして機能し、浮上時には水受面Ｓ４ｂによる慣性抵抗も生じる。
【００７３】
また、図８（ｂ）に示すように、遊動錘Ｓ４の上面の略中央部に上下方向に長手状の略円柱型の比重調整部Ｓ４１を立設し、比重調整部Ｓ４１と、遊動錘Ｓ４の構成に対応する錘本体部Ｓ４２とから構成される遊動錘Ｓ４’としても良い。比重調整部Ｓ４１の直径は錘本体部Ｓ４２の最大直径よりも小さくするとともに、比重調整部Ｓ４１の直径は略一定としている。また、比重調整部Ｓ４１の上端部には、直径を若干大きくした径大部Ｓ４１ａを形成しても良い。すなわち、比重調整部Ｓ４１を、直径を略一定とした基端側の巻回部Ｓ４１ｂと、巻回部Ｓ４１ｂよりも直径を若干大きくした上端側の径大部Ｓ４１ａとにより構成しても良い。また、錘本体部Ｓ４２の上半球側の水受面Ｓ４２ｂは、遊動錘Ｓ４の水受面Ｓ４ｂと同様の機能を果たす。なお、遊動錘Ｓ４’の比重調整部Ｓ４１の構成や作用効果は遊動錘Ｓ２’の比重調整部Ｓ２１の場合と同様のため、その詳しい説明は省略する。
【００７４】
以上、本発明の実施の形態を図面に基づいて詳細に説明したが、これらは例示であり、当業者の知識に基づき、様々な組み合わせの変更を行った形態や、種々の変形、改良等を施した他の形態で本発明を実施することが可能である。図面で示された構成や組み合わせに限られず、上記発明を実施するための形態で説明した趣旨や技術的思想を逸脱しない範囲内で、適宜変更することが可能であることは言うまでもない。
【符号の説明】
【００７５】
１０  シャフト
１０ａ  シャフト下端部
１０ｂ  シャフト上端部
２０  浮き本体
３０  トップ
３０ｂ  トップ下端部
３１  孔
７０  糸錘
Ａ  釣り用浮き
Ｓ，Ｓ１，Ｓ２，Ｓ２’，Ｓ３，Ｓ３’，Ｓ４，Ｓ４’  遊動錘
Ｓ２ｂ，Ｓ２２ｂ，Ｓ３ｂ，Ｓ３２ｂ，Ｓ４ｂ，Ｓ４２ｂ  水受面
Ｓ２１，Ｓ３１，Ｓ４１  比重調整部
【図１】
2014054206.tif 000003
【図２】
2014054206.tif 000004
【図３】
2014054206.tif 000005
【図４】
2014054206.tif 000006
【図５】
2014054206.tif 000007
【図６】
2014054206.tif 000008
【図７】
2014054206.tif 000009
【図８】
2014054206.tif 000010